(57)【要約】画像形成システム（１００）は、天板（１３）に第１開口部（１１）と第２開口部（１２）が形成された第１筐体（１０）と、天板（１３）の下方に配置され、第１開口部（１１）から第１突出部（２１）が出没するとともに第２開口部（１２）から第２突出部（２２）が出没するように操作される固定部材（２０）と、を備えるプリンター（１）と、第１筐体（１０）に載せ置かれる第２筐体（６０）と、第２筐体（６０）の内部で移動可能な第２キャリッジ（５２）と、第２キャリッジ（５２）と噛み合うことで第２キャリッジ（５２）の移動を規制し、第１突出部（２１）に突き上げられた場合に第２キャリッジ（５２）との噛み合いがはずれて第２キャリッジ（５２）の移動の規制を解除するロック部材（７０）と、第２突出部（２２）が嵌まり込む第３開口部（６４）と、を備えるスキャナー（５０）と、を備える。
2020059547.tif 000002
【特許請求の範囲】
【請求項１】
天板に第１開口部と第２開口部が形成された第１筐体と、
前記天板の下方に配置され、第１突出部と第２突出部を備え、前記第１開口部から前記第１突出部が出没するとともに前記第２開口部から前記第２突出部が出没するように操作される固定部材と、
を備える画像形成装置と、
前記第１筐体の天板に載せ置かれる第２筐体と、
原稿からの反射光を撮像素子に導く光学系を支持し、前記第２筐体の内部で移動可能な移動枠体と、
前記移動枠体と噛み合うことで前記移動枠体の移動を規制し、前記第１開口部から突き出された前記第１突出部に突き上げられた場合に、前記移動枠体との噛み合いがはずれることで前記移動枠体の移動の規制を解除するロック部材と、
前記第２筐体の底板に形成され、前記第２開口部から突き出された前記第２突出部が嵌まり込む第３開口部と、
を備える画像読取装置と、
を備えることを特徴とする画像形成システム。
【請求項２】
前記固定部材は、把持部を備え、
前記第１筐体は、前記把持部に覆われる位置に配置され、前記反射光から変換された画像信号を出力するコネクタを備え、
前記固定部材を前記第１開口部から突き出させる操作が前記把持部を用いて行われた場合に、前記コネクタが露出することを特徴とする請求項１に記載の画像形成システム。
【請求項３】
前記固定部材は、前記第１筐体に回転可能に支持されて、回転することで、前記第１突出部と前記第２突出部とがそれぞれ前記第１開口部と前記第２開口部を通して出没することを特徴とする請求項１に記載の画像形成システム。
【請求項４】
前記第１筐体の天板の上面と前記第２筐体の底板の下面とに、前記天板の上面に沿う前記第２筐体の一方向への移動を案内する案内部が形成されていることを特徴とする請求項１に記載の画像形成システム。
【請求項５】
前記第１筐体の天板の上面に形成された前記案内部は、一方向に沿ったレールであり、
前記第２筐体の底板の下面に形成された前記案内部は、前記レールに係合する溝であり、
前記案内部によって、前記第２筐体が前記第１筐体に対して所定位置へ案内されることで、前記第１突出部と前記第２突出部とが、それぞれ前記ロック部材と前記第３開口部との下方に位置することを特徴とする請求項４に記載の画像形成システム。
【請求項６】
前記ロック部材は、
前記移動枠体に形成された孔と噛み合う突起部と、
前記第２筐体に設けられた凸部に係合して、前記ロック部材の下方への移動を規制する切り欠き部と、を有し、
前記第１開口部から突き出された前記第１突出部に突き上げられた場合に、前記突起部が前記孔から離間して、前記移動枠体との噛み合いが外れることを特徴とする請求項１に記載の画像形成システム。
【請求項７】
前記第１突出部は、軸部に固定された偏心カムであり、前記第２突出部は、前記第１突出部の最大径の方向に、前記軸部から径方向に突出するピン形状を有していることを特徴とする請求項１に記載の画像形成システム。
【請求項８】
前記第２突出部が前記第３開口部に嵌まり込むことで、前記第２筐体が前記第１筐体に対して位置決めされることを特徴とする請求項１に記載の画像形成システム。
【請求項９】
天板に第１開口部と第２開口部が形成された第１筐体と、
前記天板の下方に配置され、第１突出部と第２突出部を備え、前記第１開口部から前記第１突出部が出没するとともに前記第２開口部から前記第２突出部が出没するように操作される固定部材と、
を備えることを特徴とする画像形成装置。
【請求項１０】
画像形成装置の第１筐体の天板に載せ置かれる第２筐体と、
原稿からの反射光を撮像素子に導く光学系を支持し、前記第２筐体の内部で移動可能な移動枠体と、
前記移動枠体と噛み合うことで前記移動枠体の移動を規制し、前記画像形成装置の前記天板の第１開口部から突き出された第１突出部に突き上げられた場合に、前記移動枠体との噛み合いがはずれることで前記移動枠体の移動の規制を解除するロック部材と、
前記第２筐体の底板に形成され、前記画像形成装置の前記天板の第２開口部から突き出された第２突出部が嵌まり込む第３開口部と、
を備えることを特徴とする画像読取装置。
【発明の詳細な説明】
【技術分野】
【０００１】
本発明は、画像形成装置と画像読取装置と結合する技術に関する。
【背景技術】
【０００２】
画像形成装置と画像読取装置を結合し、複写機能やファクシミリ機能等を備えた複合機が知られている。画像形成装置と画像読取装置を結合する手段としては、画像形成装置の筐体の上に画像読取装置の筐体を載せ、筐体同士をビス等によって結合する例が知られている。例えば、特許文献１には、画像形成装置に結合される画像読取装置の筐体の支持高さを調整するブラケットを設けることが記載されている。特許文献２には、画像形成装置と画像読取装置の筐体にフック及びフックが係合する穴を設け、画像読取装置の筐体を画像形成装置の筐体に設置する際に画像読取装置の筐体をスライドさせ、フックを係合させ結合させることが記載されている。
【先行技術文献】
【特許文献】
【０００３】
【特許文献１】特開２００５−１２３７７７号公報
【特許文献２】特開２００３−２０９６４７号公報
【発明の概要】
【発明が解決しようとする課題】
【０００４】
しかし、特許文献１、２に記載された内容は、いずれも、画像形成装置と画像読取装置とを一体化した製品をユーザーに提供することを想定したものであり、画像形成装置と画像読取装置をユーザーが別々に購入し、あとでこれらを結合しようとした場合に煩わしい作業を強いられる。また、画像読取装置を画像形成装置に結合する際の衝撃により、画像読取装置内部の光学系の移動枠体が破損するおそれがある。【０００５】
本発明は、上記事情を考慮し、画像形成装置と画像読取装置との結合を容易化するとともに、画像読取装置の光学系の移動枠体の破損を防止することのできる画像形成システム、画像形成装置及び画像読取装置を提供することを目的とする。
【課題を解決するための手段】
【０００６】
上記課題を解決するため、本発明に係る画像形成システムは、天板に第１開口部と第２開口部が形成された第１筐体と、前記天板の下方に配置され、第１突出部と第２突出部を備え、前記第１開口部から前記第１突出部が出没するとともに前記第２開口部から前記第２突出部が出没するように操作される固定部材と、を備える画像形成装置と、前記第１筐体の天板に載せ置かれる第２筐体と、原稿からの反射光を撮像素子に導く光学系を支持し、前記第２筐体の内部で移動可能な移動枠体と、前記移動枠体と噛み合うことで前記移動枠体の移動を規制し、前記第１開口部から突き出された前記第１突出部に突き上げられた場合に、前記移動枠体との噛み合いがはずれることで前記移動枠体の移動の規制を解除するロック部材と、前記第２筐体の底板に形成され、前記第２開口部から突き出された前記第２突出部が嵌まり込む第３開口部と、を備える画像読取装置と、を備えることを特徴とする。【０００７】
本発明に係る画像形成装置は、天板に第１開口部と第２開口部が形成された第１筐体と、前記天板の下方に配置され、第１突出部と第２突出部を備え、前記第１開口部から前記第１突出部が出没するとともに前記第２開口部から前記第２突出部が出没するように操作される固定部材と、を備えることを特徴とする。【０００８】
本発明に係る画像読取装置は、画像形成装置の第１筐体の天板に載せ置かれる第２筐体と、原稿からの反射光を撮像素子に導く光学系を支持し、前記第２筐体の内部で移動可能な移動枠体と、前記移動枠体と噛み合うことで前記移動枠体の移動を規制し、前記画像形成装置の前記天板の第１開口部から突き出された第１突出部に突き上げられた場合に、前記移動枠体との噛み合いがはずれることで前記移動枠体の移動の規制を解除するロック部材と、前記第２筐体の底板に形成され、前記画像形成装置の前記天板の第２開口部から突き出された第２突出部が嵌まり込む第３開口部と、を備えることを特徴とする。
【発明の効果】
【０００９】
本発明によれば、画像形成装置と画像読取装置との結合を容易化するとともに、画像読取装置の光学系の移動枠体の破損を防止することができる。
【図面の簡単な説明】
【００１０】
【図１】本発明の一実施形態に係るカラープリンターの内部構成を模式的に示す正面図である。
【図２Ａ】本発明の一実施形態に係るプリンターの斜視図である。
【図２Ｂ】本発明の一実施形態に係る固定部材の斜視図である。
【図３Ａ】本発明の一実施形態に係るスキャナーの斜視図である。
【図３Ｂ】本発明の一実施形態に係るロック部材の斜視図である。
【図３Ｃ】本発明の一実施形態に係るロック部材の斜視図である。
【図４Ａ】本発明の一実施形態に係るスキャナーの移動中の様子を示す図である。
【図４Ｂ】本発明の一実施形態に係るスキャナーの移動が完了した様子を示す図である。
【図４Ｃ】本発明の一実施形態に係るスキャナーがプリンターに結合された様子を示す図である。
【図５Ａ】本発明の一実施形態に係るスキャナーの結合前の様子を示す図である。
【図５Ｂ】本発明の一実施形態に係るスキャナーの結合後の様子を示す図である。
【図６Ａ】本発明の一実施形態の変形例に係るプリンターの斜視図である。
【図６Ｂ】本発明の一実施形態の変形例に係る固定部材の斜視図である。
【発明を実施するための形態】
【００１１】
以下、図面を参照しつつ本発明の一実施形態に係る画像形成システム１００について説明する。画像形成システム１００は、プリンター１（画像形成装置の一例）とスキャナー５０（画像読取装置の一例）とを備える。
【００１２】
まず、図１を参照して、プリンター１及びスキャナー５０の全体の構成について説明する。図１は、プリンター１とスキャナー５０の内部構成を模式的に示す正面図である。図１では、プリンター１とスキャナー５０が結合された様子が示されているが、プリンター１とスキャナー５０は、両者を結合させずにそれぞれを単独で稼働させることも可能である。以下、図１における紙面手前側をプリンター１及びスキャナー５０の正面側（前側）とし、左右の向きはプリンター１及びスキャナー５０を正面から見た方向を基準として説明する。各図において、Ｕ、Ｌｏ、Ｌ、Ｒ、Ｆｒ、Ｒｒは、それぞれ上、下、左、右、前、後を示す。
【００１３】
プリンター１は、収容されたシートＳを搬送路６に送り出す給紙装置３と、フルカラーのトナー像を電子写真方式にてシートＳに形成する画像形成部４と、トナー像をシートＳに定着する定着装置５と、トナー像が定着されたシートＳが排出される排出部７と、を備える。
【００１４】
プリンター１が外部コンピューター等から画像データを受信すると、シートＳが給紙装置３から搬送路６に送り出され、画像形成部４によりシートＳにトナー像が形成され、定着装置５によりシートＳにトナー像が定着され、排出部７にシートＳが排出される。
【００１５】
スキャナー５０は、光源と反射鏡を備える第１キャリッジ５１と、２つの反射鏡を備える第２キャリッジ５２（移動枠体の一例）と、反射光を結像させるレンズ５３と、結像した反射光を画像信号に変換する撮像素子５４と、原稿が配置されるコンタクトガラス５５と、コンタクトガラス５５上の原稿を押さえる押さえ板（図示省略）と、を備える。
【００１６】
スキャナー５０に読み取りの指示が与えられると、第１キャリッジ５１が速度Ｖで右方に移動するのと連動して第２キャリッジ５２が速度Ｖ／２で右方に移動する。原稿で反射された反射光は、第１キャリッジ５１の反射鏡と第２キャリッジ５２の反射鏡で反射されてレンズ５３に導かれ、撮像素子５４に結像されて画像信号に変換される。変換された画像信号は、プリンター１に出力され、画像データに変換される。
【００１７】
次に、図１乃至３Ｂを参照して、プリンター１とスキャナー５０とを結合するための構成について説明する。図２Ａは、プリンター１の斜視図である。図２Ｂは、固定部材２０の斜視図である。図３Ａは、スキャナー５０の斜視図である。図３Ｂ、３Ｃは、ロック部材７０の斜視図である。
【００１８】
プリンター１は、天板１３に第１開口部１１と第２開口部１２が形成された第１筐体１０と、天板１３の下方に配置された固定部材２０と、を備える。スキャナー５０は、第１筐体１０の天板１３に載せ置かれる第２筐体６０と、第２キャリッジ５２と噛み合うことで第２キャリッジ５２の移動を規制するロック部材７０と、第２筐体６０の底板６５に形成された第３開口部６４と、を備える。
【００１９】
図２Ａに示されるように、プリンター１の第１筐体１０は、直方体状に形成され、天板１３には、第１開口部１１と２つの第２開口部１２が形成されている。第１開口部１１は、前後方向を長手方向とする矩形の孔であり、天板１３の左端部付近に形成されている。２つの第２開口部１２は、前後方向を長手方向とする矩形の孔であり、第１開口部１１よりも右寄りの位置と、天板１３の右端部付近とに形成されている。右側板１４には孔１５が形成されている。左側板１６には孔１７が形成されている。
【００２０】
図２Ｂに示されるように、固定部材２０は、左右方向を長手方向とする軸部２３を備え、天板１３の下方に配置される。軸部２３の右端部には、ボス２４が形成されている。ボス２４は、第１筐体１０の右側板１４の孔１５に支持される。軸部２３の左端部には、把持部２５が形成されている。軸部２３の左端部は、第１筐体１０の左側板１６の孔１７を貫通し、把持部２５は、第１筐体１０の左側板１６の外面側に配置される。
【００２１】
固定部材２０は、第１突出部２１と第２突出部２２を備える。第１突出部２１は、偏芯カムであり、第２突出部２２は、第１突出部２１の径が最大である方向に軸部２３から突出するピン形状に形成されている。第１突出部２１、第２突出部２２は、それぞれ第１開口部１１、第２開口部１２に対応する位置に形成されている。固定部材２０は、第１開口部１１から第１突出部２１が出没するとともに第２開口部１２から第２突出部２２が出没するように操作される。具体的には、把持部２５が反時計方向に操作されると、第１開口部１１から第１突出部２１が突き出されるとともに、第２開口部１２から第２突出部２２が突き出される。第１突出部２１と第２突出部２２が突き出された状態から把持部２５が時計方向に操作されると、第１開口部１１に第１突出部２１が没するともに、第２開口部１２に第２突出部２２が没する。
【００２２】
天板１３の上面の前後両端部には、左右方向を長手方向とするレール１８（案内部）が形成されている。第１筐体１０の左側板１６の外面には、反射光から変換された画像信号を出力するコネクタ３０が配置されている。コネクタ３０は、第１突出部２１と第２突出部２２が第１開口部１１と第２開口部１２から突き出されていないときに把持部２５に覆われる位置に配置されており、第１突出部２１と第２突出部２２を突き出させる操作が把持部２５を用いて行われた場合に、コネクタ３０が露出する。
【００２３】
図３Ａに示されるように、スキャナー５０の第２筐体６０は、直方体状に形成され、その左端部には、ロック部材７０が配置されている。図３Ａでは、図示の都合上、ロック部材７０の左側面が露出しているが、実際には、図４Ａに示されるように、ロック部材７０の左側面は左側板６１に覆われている。図３Ｂ、３Ｃに示されるように、ロック部材７０は、後端部の下端部に切り欠き部７１が形成された直方体状の部材である。第２筐体６０の左側板６１には、ロック部材７０を収容する凹部６２が形成されている。凹部６２の上下方向の寸法は、ロック部材７０の上下方向の寸法よりも大きい。凹部６２におけるロック部材７０の切り欠き部７１に対応する位置には、ロック部材７０の下方への移動を規制する凸部６３が形成されている。凸部６３が切り欠き部７１と接しているとき、ロック部材７０の頂部と凹部６２の天井部とは離間しており、ロック部材７０が上方に摺動可能である。ロック部材７０の右側面には、下方に屈曲した鉤形の突起部７２が形成されている。
【００２４】
第３開口部６４は、前後方向を長手方向とする矩形の孔であり、底板６５における第１筐体１０の第２開口部１２に対応する位置に形成されている。第３開口部６４には、第１筐体１０の第２開口部１２から突き出された固定部材２０の第２突出部２２が嵌まり込む。
【００２５】
底板６５の下面の前後両端部には、左右方向を長手方向とする溝６６（案内部）が形成されている。溝６６は、第１筐体１０のレール１８に対応する形状に形成されている。第２筐体６０の左側板６１の外面には、コネクタ８０が配置されている。
【００２６】
次に、図４Ａ乃至５Ｂを参照して、プリンター１とスキャナー５０の結合の手順について説明する。
【００２７】
最初に、図４Ａに示されるように、ユーザーは、プリンター１の第１筐体１０の天板１３にスキャナー５０を載せる。ユーザーは、第１筐体１０のレール１８を第２筐体６０の溝６６に嵌め込み、第２筐体６０を左方に移動させる。このとき、レール１８により、第２筐体６０の左方への移動が案内される。第２キャリッジ５２には孔５６が形成されており、ロック部材７０の突起部７２が第２キャリッジ５２の孔５６に噛み合うことにより、第２筐体６０の内部における第２キャリッジ５２の移動は規制されている。また、図５Ａに示されるように、ロック部材７０の切り欠き部７１と第２筐体６０の凸部６３とが接しており、ロック部材７０の下方への移動が規制されている。なお、図５Ａ、５Ｂでは、図示の都合上、ロック部材７０の左側面が露出しているが、実際には、図４Ａに示されるように、ロック部材７０の左側面は左側板６１に覆われている。
【００２８】
次に、図４Ｂに示されるように、ユーザーは、第１筐体１０の左側面と第２筐体６０の左側面の位置が一致する位置で第２筐体６０の移動を停止する。
【００２９】
次に、ユーザーは、図４Ｃ、５Ｂに示されるように、固定部材２０の把持部２５を把持して反時計方向に固定部材２０を回転させる。すると、第２突出部２２が第２開口部１２から突き出されて第３開口部６４に嵌まり込むことで、第２筐体６０が第１筐体１０に固定される。それと並行して、第１突出部２１がロック部材７０を突き上げて突起部７２と孔５６の噛み合いがはずれることで、第２キャリッジ５２の移動の規制が解除される。また、把持部２５に覆われていたコネクタ３０が露出する。
【００３０】
次に、ユーザーは、第１筐体１０のコネクタ３０と第２筐体６０のコネクタ８０とをケーブルで接続する（図示省略）。この接続により、スキャナー５０からプリンター１への画像信号の出力が可能となる。
【００３１】
以上説明した本実施形態に係る画像形成システム１００によれば、ロック部材７０の操作により、プリンター１へのスキャナー５０の結合と、第２キャリッジ５２の移動の規制の解除が同時に行われる。スキャナー５０の結合作業中には、第１筐体１０の内部における第２キャリッジ５２の移動が規制され、スキャナー５０がプリンター１に結合されるのと同時に第２キャリッジ５２の移動の規制が解除される。よって、本実施形態に係る画像形成システム１００によれば、プリンター１とスキャナー５０との結合を容易化するとともに、スキャナー５０の光学系の第２キャリッジ５２の破損を防止することができる。
【００３２】
また、本実施形態に係る画像形成システム１００によれば、スキャナー５０がプリンター１に固定された後にスキャナー５０とプリンター１との電気的な接続が可能となるから、プリンター１とスキャナー５０の誤作動を防止することができる。
【００３３】
また、本実施形態に係る画像形成システム１００によれば、第１筐体１０のレール１８を第２筐体２０の溝６６に嵌め込み、第２筐体２０を第１筐体１０に対して所定位置へ案内されることで、第１突出部２１と第２突出部２２とが、それぞれロック部材７０と第３開口部６４との下方に位置する。したがって、第２筐体２０を第１筐体１０に対して容易に位置決めできる。
【００３４】
上記実施形態が以下のように変形されてもよい。
【００３５】
上記実施形態では、固定部材２０を回転させるように構成されているが、固定部材２０を移動させるように構成されていてもよい。例えば、図６Ａ、６Ｂに示される例では、第１筐体１０Ａの右側板１４と左側板１６にそれぞれ鉤形の開口部１５Ａ、１７Ａが形成されており、固定部材２０の軸部２３の左右両端部が開口部１５Ａ、１７Ａに支持される。開口部１５Ａ、１７Ａは、上下方向に延びる第１部分１５Ａ１、１７Ａ１とその上端部から前後方向に延びる第２部分１５Ａ２、１７Ａ２とで構成され、第２部分１５Ａ２、１７Ａ２の下端部は、前側よりも後側が低くなるように形成されている。軸部２３の第１開口部１１に対応する位置には、第２突出部２２と同様の第１突出部２１Ａが形成されている。固定部材２０は、第１突出部２１Ａと第２突出部２２を上方に向けた姿勢で開口部１５Ａ、１７Ａに支持される。スキャナー５０をプリンター１に結合するには、固定部材２０を第１部分１５Ａ１、１７Ａ１に沿って上方に移動させる。この操作により、第２突出部２２が第２開口部１２に嵌まり込むとともに、第１突出部２１Ａがロック部材７０を突き上げる。続いて、固定部材２０を第２部分１５Ａ２、１７Ａ２に沿って後方に移動させることで、固定部材２０が第２部分１５Ａ２、１７Ａ２に固定される。
【００３６】
上記実施形態では、固定部材２０の操作によりコネクタ３０が露出するように構成されているが、第１筐体１０の天板１３と第２筐体６０の底板６５とにコネクタを設け、図４Ｂに示される位置に第２筐体６０が移動されたときに第１筐体１０のコネクタと第２筐体６０のコネクタが接続されるように構成されてもよい。
【００３７】
上記実施形態では、第１筐体１０の天板１３にレール１８が設けられ、第２筐体６０の底板６５に溝６６が設けられている例を示したが、例えば、第１筐体１０の天板１３の前後両端部に対して中央部が下方に窪んだ凹形の形状に形成され、第２筐体６０の底板６５が第１筐体１０の天板１３に対応する凸形の形状に形成されていてもよい。要するに、第１筐体１０の天板１３の上面と第２筐体６０の底板６５の下面とが、天板１３の上面に沿う第２筐体６０の一方向への移動を案内する形状に形成されていればよい。
【図１】
2020059547.tif 000003
【図２Ａ】
2020059547.tif 000004
【図２Ｂ】
2020059547.tif 000005
【図３Ａ】
2020059547.tif 000006
【図３Ｂ】
2020059547.tif 000007
【図３Ｃ】
2020059547.tif 000008
【図４Ａ】
2020059547.tif 000009
【図４Ｂ】
2020059547.tif 000010
【図４Ｃ】
2020059547.tif 000011
【図５Ａ】
2020059547.tif 000012
【図５Ｂ】
2020059547.tif 000013
【図６Ａ】
2020059547.tif 000014
【図６Ｂ】
2020059547.tif 000015
【国際調査報告】
2020059547.tif 000016
2020059547.tif 000017
2020059547.tif 000018
2020059547.tif 000019